(57)【特許請求の範囲】
【請求項１】
互いに剛結合する柱及び梁を有し、部材断面における内部に配置される柱芯部及び梁芯部が所定の水結合材比及び強度を有する高強度コンクリートからなり、前記柱芯部及び前記梁芯部のそれぞれの外周面を覆うように部材断面における外周部に配置される柱外周部及び梁外周部が前記高強度コンクリートに比べて水結合材比が高く強度が低いコンクリートからなり、前記梁芯部が前記柱芯部と接続される複合ラーメン構造の構築方法であって、
所定階において、前記柱芯部と前記梁芯部との接続部をなす仕口芯部の直下にＰＣａコンクリート部材により形成された前記柱芯部が位置するように、かつ前記柱外周部の上端が少なくとも前記梁芯部の下面に対応する位置に達するように前記柱の少なくとも上部を構築するステップと、
前記梁芯部が軸方向の両端において側方に開口する凹陥部を形成するように前記梁外周部よりも短く形成され、かつ前記凹陥部が上面にも開口するように前記梁外周部が切欠かれたＰＣａ複合梁部材を用意するステップと、
前記所定階において、前記柱の周囲に前記ＰＣａ複合梁部材を配置するステップと、
少なくとも前記仕口芯部と、前記仕口芯部から側方へ延出する梁芯端部と、前記仕口芯部から上方へ延出し、上階における前記柱芯部の少なくとも下部を構成する柱芯下部とを一体に形成したＰＣａ仕口芯部材を用意するステップと、
前記所定階において、前記ＰＣａ仕口芯部材の前記梁芯端部が、前記柱の周囲に配置された前記ＰＣａ複合梁部材の前記凹陥部に収容されて支持されるように、前記ＰＣａ仕口芯部材を前記柱の上に配置するステップと、
配置された前記ＰＣａ仕口芯部材の前記柱芯下部の外周面を覆うように、上階において前記柱外周部を構築して前記上階における前記柱の少なくとも下部を構築するステップと
を含むことを特徴とする複合ラーメン構造の構築方法。
【請求項２】
前記柱の少なくとも下部を構築するステップが、
柱断面における内部に少なくとも下方に開口する孔が形成され、少なくとも前記柱外周部の下部を構成するＰＣａ柱部材を用意するステップと、
配置された前記ＰＣａ仕口芯部材の前記柱芯下部が下方から前記孔に進入するように、前記ＰＣａ柱部材を前記ＰＣａ仕口芯部材の上に配置して前記柱芯下部に支持させるステップと
を含むことを特徴とする請求項１に記載の複合ラーメン構造の構築方法。
【請求項３】
前記ＰＣａ柱部材の前記柱外周部が概ね半階層の階高に対応する高さを有し、
前記柱の少なくとも上部を構築するステップが、
前記仕口芯部を含まない前記柱芯部の上部を構成するＰＣａ柱芯部材を用意するステップと、
柱断面における内部を上下に貫通する貫通孔が形成され、少なくとも前記柱外周部の上部を構成する上ＰＣａ柱部材を用意するステップと、
前記柱芯下部により支持された前記ＰＣａ柱部材の上面に開口するように形成された前記孔にＰＣａ柱芯部材を挿入し、前記ＰＣａ柱部材に支持させるステップと、
前記ＰＣａ柱部材により支持された前記ＰＣａ柱芯部材が下方から前記貫通孔に進入するように、前記上ＰＣａ柱部材を前記ＰＣａ柱部材の上に配置して前記ＰＣａ柱芯部材に支持させるステップと
を含むことを特徴とする請求項２に記載の複合ラーメン構造の構築方法。
【請求項４】
前記ＰＣａ柱部材の前記柱外周部が概ね１階層の階高に対応する高さを有し、
前記柱の少なくとも下部を構築するステップと前記柱の少なくとも上部を構築するステップとが同一のステップとして行われることを特徴とする請求項２に記載の複合ラーメン構造の構築方法。
【請求項５】
互いに剛結合する柱及び梁を有し、部材断面における内部に配置される柱芯部及び梁芯部が所定の水結合材比及び強度を有する高強度コンクリートからなり、前記柱芯部及び前記梁芯部のそれぞれの外周面を覆うように部材断面における外周部に配置される柱外周部及び梁外周部が前記高強度コンクリートに比べて水結合材比が高く強度が低いコンクリートからなり、前記梁芯部が前記柱芯部と接続される複合ラーメン構造の構築方法であって、
所定階において、前記柱外周部の上面から上方に突出するように前記柱芯部の少なくとも下部を構築するステップと、
柱断面における内部に少なくとも下方に開口する孔が形成され、少なくとも前記柱外周部の下部を構成するＰＣａ柱部材を用意するステップと、
上方に突出するように構築された前記柱芯部が下方から前記孔に進入するように、前記ＰＣａ柱部材を前記所定階に配置して前記柱芯部に支持させるステップと、
少なくとも、前記柱芯部と前記梁芯部との接続部をなす仕口芯部と、前記仕口芯部から側方へ延出する梁芯端部と、前記仕口芯部から上方へ延出し、上階における前記柱芯部の少なくとも下部を構成する柱芯下部とを一体に形成したＰＣａ仕口芯部材を用意するステップと、
前記梁芯端部が支持されるように、前記所定階に配置された前記ＰＣａ柱部材の上に前記ＰＣａ仕口芯部材を配置し、配置された前記ＰＣａ仕口芯部材の前記柱芯下部によって上階における前記柱芯部の少なくとも下部を構築するステップと
を含むことを特徴とする複合ラーメン構造の構築方法。
【発明の詳細な説明】
【技術分野】
【０００１】
本発明は、断面内部が高強度コンクリートからなり断面外周部が比較的低強度のコンクリートからなる異種強度コンクリートによる複合ラーメン構造の構築方法に関する。
【背景技術】
【０００２】
近年、コンクリートの高強度化に関する研究開発が盛んに行われており、高性能ＡＥ減水剤による水セメント比の低減や各種混和材の配合による水結合材比の低減によってコンクリート強度が飛躍的に高くなっている。高強度コンクリートの強度（設計基準強度）は、セメントや混和材の種類にもよるが、一般に、水結合材比が小さくなるほど高くなる。このようなコンクリートの高強度化は、建物の超高層化や柱断面の縮小化を可能にし、現在では高層建物において広く使用されるまでに至っている。
【０００３】
高強度コンクリートを柱に用いた例として、超高強度コンクリートを用いたプレキャスト（以下、ＰＣａと記す）コンクリート部材により柱の外郭部を形成し、外殻部の内部を中空に又は強度の低いコンクリートで充填したものが知られている（特許文献１、２参照）。
【０００４】
一方で、高強度コンクリートは組織が緻密になるために火災時に表面部分が爆裂を起こし易いことが指摘されている。そこで、本出願人は、耐火性能を確保するとともにひび割れの発生を効果的に抑制し得る複合柱構造として、柱の断面内部に高強度コンクリートからなる柱芯部を配置し、柱の断面外周部に低強度コンクリートからなる柱外周部を柱芯部の側面の全面を覆うように配置し、主筋を柱外周部のみに配置する発明を提案している（特許文献３参照）。
【０００５】
また、高強度コンクリートの内部に主筋が配置される例ではあるが、高強度コンクリートからなるＰＣａコンクリート部材を柱や梁の芯に用い、ＰＣａコンクリート芯部材を被覆するように現場打ちコンクリートを打設して複合鉄筋コンクリート構造を構築する方法等も公知である（特許文献４参照）。
【先行技術文献】
【特許文献】
【０００６】
【特許文献１】特開２００６−２３３５４８号公報
【特許文献２】特開２００４−３３２２３６号公報
【特許文献３】特開２０１４−５８８２０号公報
【特許文献４】特開昭５８−１９９９５７号公報
【発明の概要】
【発明が解決しようとする課題】
【０００７】
しかしながら、特許文献４においては、柱及び梁の外周部を共にコンクリートを現場打ちすることによって柱と梁との一体化を図っている。そのため、現場打ちのコンクリートの打設量が多く、施工に手間と時間がかかる。一方、特許文献１〜３は、柱の高強度化を目的とするものであり、梁の断面を縮小化するために或いはせん断耐力や曲げ耐力を向上させるために梁にも高強度コンクリートを用いる場合については考慮されていない。即ち、柱及び梁のそれぞれの芯部に高強度コンクリートを用い、かつ高強度コンクリート以外の部位にもＰＣａコンクリートを用いる場合の梁と柱との接続構造やそのような複合ラーメン構造の構築工法は確立されていない。
【０００８】
本発明は、このような背景に鑑みなされたものであり、断面内部が高強度コンクリートからなり断面外周部が比較的低強度のコンクリートからなる異種強度コンクリートによる複合ラーメン構造において、共に高強度コンクリートからなる梁芯部と柱芯部とを接続でき、かつ施工が容易で工期の短縮が可能な構築方法を提供することをその目的とする。
【課題を解決するための手段】
【０００９】
上記課題を解決するために本発明は、互いに剛結合する柱（１）及び梁（２）を有し、部材断面における内部に配置される柱芯部（１ｉ）及び梁芯部（２ｉ）が所定の水結合材比及び強度を有する高強度コンクリートからなり、前記柱芯部及び前記梁芯部のそれぞれの外周面を覆うように部材断面における外周部に配置される柱外周部（１ｏ）及び梁外周部（２ｏ）が前記高強度コンクリートに比べて水結合材比が高く強度が低いコンクリートからなり、前記梁芯部（２ｉ）が前記柱芯部（１ｉ）と接続される複合ラーメン構造（１００）の構築方法を提供する。
【００１０】
上記課題を解決するために本発明は、所定階において、前記柱芯部と前記梁芯部との接続部をなす仕口芯部（１０ａ）の直下にＰＣａコンクリート部材（１１、１０（１０ｃ、１０ｄ）、３０（３１））により形成された前記柱芯部（１ｉ）が位置するように、かつ前記柱外周部（１ｏ）の上端が少なくとも前記梁芯部の下面に対応する位置に達するように前記柱（１）の少なくとも上部を構築するステップ（図６）と、前記梁芯部（２ｉ（２１））が軸方向の両端において側方に開口する凹陥部（２３）を形成するように前記梁外周部（２ｏ（２２））よりも短く形成され、かつ前記凹陥部（２３）が上面にも開口するように前記梁外周部（２ｏ（２２））が切欠かれたＰＣａ複合梁部材（２０）を用意するステップ（図７Ｅ）と、前記所定階において、前記柱（１）の周囲に前記ＰＣａ複合梁部材（２０）を配置するステップ（図７Ｅ）と、少なくとも前記仕口芯部（１０ａ）と、前記仕口芯部から側方へ延出する梁芯端部（１０ｂ）と、前記仕口芯部から上方へ延出し、上階における前記柱芯部（１ｉ）の少なくとも下部を構成する柱芯下部（１０ｃ）とを一体に形成したＰＣａ仕口芯部材（１０）を用意するステップ（図７Ｅ）と、前記所定階において、前記ＰＣａ仕口芯部材（１０）の前記梁芯端部（１０ｂ）が、前記柱（１）の周囲に配置された前記ＰＣａ複合梁部材（２０）の前記凹陥部（２３）に収容されて支持されるように、前記ＰＣａ仕口芯部材（１０）を前記柱（１）の上に配置するステップ（図７Ｆ）と、配置された前記ＰＣａ仕口芯部材（１０）の前記柱芯下部（１０ｃ）の外周面を覆うように、上階において前記柱外周部（２ｏ）を構築して前記上階における前記柱（１）の少なくとも下部を構築するステップ（図６、図７Ｇ）とを含む構成とする。
【００１１】
ここで、高強度コンクリートとは、水結合材比が比較的低いことによって高強度を実現するコンクリートのことであり、結合材以外の物質を混入することによって高強度を実現するコンクリートは含まない。また、支持とは、鉛直荷重を支持することを意味するものではなく、専ら部材の転倒を防止するための支持を意味する。
【００１２】
この構成によれば、共に高強度コンクリートからなる梁芯部と柱芯部とを接続でき、かつ現場打ちのコンクリートや型枠組立、鉄筋組立等の施工量を低減して施工を容易にすると共に工期を短縮することができる。
【００１３】
また、本発明は、上記の構成において、前記柱（１）の少なくとも下部を構築するステップ（図６、図７Ｇ）が、柱断面における内部に少なくとも下方に開口する孔（１３Ｌ、１３、３３）が形成され、少なくとも前記柱外周部（１ｏ）の下部を構成するＰＣａ柱部材（１２Ｌ、１２、３０）を用意するステップ（図６Ａ、図７Ｇ）と、配置された前記ＰＣａ仕口芯部材（１０）の前記柱芯下部（１０ｃ）が下方から前記孔（１３Ｌ、１３、３３）に進入するように、前記ＰＣａ柱部材（１２Ｌ、１２、３０）を前記ＰＣａ仕口芯部材（１０）の上に配置して前記柱芯下部（１０ｃ）に支持させるステップ（図６Ｂ、図７Ｇ）とを含む構成とすることができる。
【００１４】
この構成によれば、下ＰＣａ柱外周部材１２Ｌの転倒を容易に防止でき、下ＰＣａ柱外周部材１２Ｌの配置作業が容易になる。
【００１５】
また、本発明は、上記の構成において、前記ＰＣａ柱部材（１２Ｌ）の前記柱外周部（１ｏ）が概ね半階層の階高に対応する高さを有し、前記柱の少なくとも上部を構築するステップ（図６）が、前記仕口芯部（１０ａ）を含まない前記柱芯部（１ｉ）の上部を構成するＰＣａ柱芯部材（１１）を用意するステップ（図６Ｂ）と、前記柱芯下部（１０ｃ）により支持された前記ＰＣａ柱部材（１２Ｌ）の上面に開口するように形成された前記孔（１３Ｌ）にＰＣａ柱芯部材（１１）を挿入し、前記ＰＣａ柱部材に支持させるステップ（図６Ｂ）と、柱断面における内部を上下に貫通する貫通孔（１３Ｕ）が形成され、少なくとも前記柱外周部（１ｏ）の上部を構成する上ＰＣａ柱部材（１２Ｕ）を用意するステップ（図６Ｃ）と、前記ＰＣａ柱部材（１２Ｌ）により支持された前記ＰＣａ柱芯部材（１１）が下方から前記貫通孔（１３Ｕ）に進入するように、前記上ＰＣａ柱部材（１２Ｕ）を前記ＰＣａ柱部材（１２Ｌ）の上に配置して前記ＰＣａ柱芯部材（１１）に支持させるステップ（図６Ｄ）とを含む構成とすることができる。
【００１６】
この構成によれば、各階の柱外周部を構成するＰＣａ柱部材及び上ＰＣａ柱部材のそれぞれの重量を軽くして取り扱いを容易にできる上、上ＰＣａ柱部材の転倒も容易に防止でき、柱外周部の構築作業（配置作業）が容易になる。
【００１７】
また、本発明は、上記の構成において、前記ＰＣａ柱部材（１２Ｌ、１２、３０）の前記柱外周部（１ｏ）が概ね１階層の階高に対応する高さを有し、前記柱（１）の少なくとも下部を構築するステップ（図７Ｇ）と前記柱（１）の少なくとも上部を構築するステップ（図６）とが同一のステップとして行われる構成とすることができる。
【００１８】
この構成によれば、柱外周部を構築するための工数を削減し、複合柱の構築作業をより容易にすることができる。
【００１９】
また、上記課題を解決するために本発明は、上記複合ラーメン構造（１００）の構築方法であって、所定階において、前記柱外周部（１ｏ）の上面から上方に突出するように前記柱芯部（１ｉ）の少なくとも下部を構築するステップ（図６Ａ）と、柱断面における内部に少なくとも下方に開口する孔（１３Ｌ、１３、３３）が形成され、少なくとも前記柱外周部（１ｏ）の下部を構成するＰＣａ柱部材（１２Ｌ、１２、３０）を用意するステップ（図６Ａ〜Ｃ）と、上方に突出するように構築された前記柱芯部（２ｉ）が下方から前記孔（１３Ｌ、１３、３３）に進入するように、前記ＰＣａ柱部材（１２Ｌ、１２、３０）を前記所定階に配置して前記柱芯部（１ｉ）に支持させるステップ（図６Ｂ〜Ｄ）と、少なくとも、前記柱芯部と前記梁芯部との接続部をなす仕口芯部（１０ａ）と、前記仕口芯部から側方へ延出する梁芯端部（１０ｂ）と、前記仕口芯部から上方へ延出し、上階における前記柱芯部（１ｉ）の少なくとも下部を構成する柱芯下部（１０ｃ）とを一体に形成したＰＣａ仕口芯部材（１０）を用意するステップ（図７Ｅ）と、前記梁芯端部（１０ｂ）が支持されるように、前記所定階に配置された前記ＰＣａ柱部材（１２Ｕ、１２）の上に前記ＰＣａ仕口芯部材（１０）を配置し、配置された前記ＰＣａ仕口芯部材（１０）の前記柱芯下部（１０ｃ）によって上階における前記柱芯部（１ｉ）の少なくとも下部を構築するステップ（図７Ｆ）とを含む構成とする。
【００２０】
この構成によれば、共に高強度コンクリートからなる梁芯部と柱芯部とを接続でき、かつＰＣａ柱部材の転倒を防止して複合柱の構築作業を容易にすると共に工期を短縮することができる。
【発明の効果】
【００２１】
このように本発明によれば、共に高強度コンクリートからなる梁芯部と柱芯部とを接続でき、かつ施工が容易で工期の短縮が可能な異種強度コンクリートによる複合ラーメン構造の構築方法を提供することができる。
【図面の簡単な説明】
【００２２】
【図１】第１実施形態に係る複合ラーメン構造の側面図
【図２】図１に示す複合ラーメン構造の要部分解斜視図
【図３】図１中のIII−III線に沿って示すＰＣａ複合柱部材の断面図
【図４】図１中のIV−IV線に沿って示すＰＣａ複合梁部材の断面図
【図５】構築中の複合ラーメン構造を鉛直面に沿って示す断面図
【図６】図１に示す複合ラーメン構造の構築手順の説明図
【図７】図１に示す複合ラーメン構造の構築手順の説明図
【図８】第２実施形態に係る複合ラーメン構造の構築状態の側面図
【図９】第３実施形態に係る複合ラーメン構造の構築状態の側面図
【図１０】第４実施形態に係る複合ラーメン構造の構築状態の側面図
【図１１】第５実施形態に係る複合ラーメン構造の構築状態の側面図
【図１２】第６実施形態に係る複合ラーメン構造の構築状態の側面図
【図１３】第７実施形態に係る複合ラーメン構造の構築状態の側面図
【発明を実施するための形態】
【００２３】
以下、本発明に係る複合ラーメン構造１００及びその構築方法について、いくつかの実施形態を挙げ、図面を参照しながら詳細に説明する。
【００２４】
≪第１実施形態≫
まず、図１〜図７を参照して第１実施形態を説明する。図１に示すように、複合ラーメン構造１００は、複数の複合柱１と、互いに隣接する一対の複合柱１、１に架け渡され、両端が複合柱１に剛結合される複数の複合梁２を有している。複合ラーメン構造１００は、平面上で直交する２方向に沿って複合柱１が配置され、それぞれの方向に沿って延在する複合梁２によって互いに隣接する一対の複合柱１、１が連結される。図１ではそのうちの１方向のみを示している。
【００２５】
複合ラーメン構造１００は、複合柱１及び複合梁２のそれぞれの断面内部（以下、柱芯部１ｉ、梁芯部２ｉと称する）が、水結合材比が比較的低く強度が比較的高い高強度コンクリートからなり、複合柱１及び複合梁２のそれぞれの断面外周部（以下、柱外周部１ｏ、梁外周部２ｏと称する）が断面内部に比べて水結合材比が高く強度が比較的低いコンクリート（以下、普通コンクリートと称する）からなる複合コンクリート構造体である。ここで、高強度コンクリートとは、普通コンクリートに比べて水結合材比が低く強度が高いコンクリートを意味しており、水結合材比の上限値や強度の下限値を定めるものではない。
【００２６】
本実施形態では、柱芯部１ｉと柱外周部１ｏとが別々のＰＣａコンクリート部材により構成され、これらを順次積み上げて一体化することで複合柱１が構築される。柱芯部１ｉは、詳細を後述するＰＣａ仕口芯部材１０とＰＣａ柱芯部材１１とにより構成される。柱外周部１ｏは、詳細を後述するＰＣａ柱外周部材１２（本実施形態では、上ＰＣａ柱外周部材１２Ｕ及び下ＰＣａ柱外周部材１２Ｌ）により構成される。
【００２７】
複合梁２は軸方向に隣接する一対の複合柱１のスパンに応じた長さを有するＰＣａ複合梁部材２０を複合柱１（本実施形態では、上ＰＣａ柱外周部材１２Ｕの上端及びＰＣａ仕口芯部材１０の梁芯端部１０ｂ（図２））に剛結合して構築される。ＰＣａ複合梁部材２０の詳細な構成については後述する。
【００２８】
図２に併せて示すように、１階層分の柱外周部１ｏは、半階層の階高に応じた高さを有する２つのＰＣａ柱外周部材１２を積み上げて構築される。以下、各階において下側に配置されるＰＣａ柱外周部材１２を下ＰＣａ柱外周部材１２Ｌと称し、各階において上側に配置されるＰＣａ柱外周部材１２を上ＰＣａ柱外周部材１２Ｕと称する。両者を区別しない場合には、単にＰＣａ柱外周部材１２と称する。ＰＣａ柱外周部材１２は、普通コンクリートからなる鉄筋コンクリート造とされている。なお、上記のようにＰＣａ複合梁部材２０は複合柱１のスパンに応じた長さを有しているが、図２ではＰＣａ複合梁部材２０を破断して短く示している。また、図が煩雑になることを避けるため、図２では各種鉄筋や鉄筋挿通孔、鉄筋継手等は省略している。
【００２９】
１階層分の柱芯部１ｉは、ＰＣａ仕口芯部材１０と、ＰＣａ仕口芯部材１０の上に配置されてＰＣａ仕口芯部材１０に一体化されるＰＣａ柱芯部材１１とにより構築される。ＰＣａ仕口芯部材１０は、柱芯部１ｉと梁芯部２ｉとの接続部をなす仕口芯部１０ａと、仕口芯部１０ａから側方へ延出する梁芯端部１０ｂと、仕口芯部１０ａから上方へ延出し、各階における柱芯部１ｉの下部の４分の１程度を構成する柱芯下部１０ｃとを高強度コンクリートにより一体に形成した実質的に無筋のＰＣａコンクリート部材である。ＰＣａ仕口芯部材１０の仕口芯部１０ａと柱芯下部１０ｃとにより、各階における柱芯部１ｉの下部の３分の１程度が構成される。ＰＣａ柱芯部材１１は、ＰＣａ仕口芯部材１０の仕口芯部１０ａ及び柱芯下部１０ｃと同一の断面形状を有し、各階における柱芯部１ｉの上側の３分の２程度を構成する実質的に無筋の柱状のＰＣａコンクリート部材である。
【００３０】
下ＰＣａ柱外周部材１２Ｌは、上下方向に貫通する貫通孔１３Ｌが断面内部に形成された角筒状を呈している。下ＰＣａ柱外周部材１２Ｌは、下端が床側の複合梁２の上面高さに配置され、貫通孔１３Ｌに挿入されるＰＣａ仕口芯部材１０の柱芯下部１０ｃとＰＣａ柱芯部材１１の下部との外周面を覆っており、各階における柱外周部１ｏの下部を構成する。
【００３１】
上ＰＣａ柱外周部材１２Ｕも、上下方向に貫通する貫通孔１３Ｕが断面内部に形成された角筒状を呈している。上ＰＣａ柱外周部材１２Ｕは、下ＰＣａ柱外周部材１２Ｌの上に配置されて上端が少なくとも天井側の複合梁２の下面に対応する位置に達するように配置される。ここで、下面に対応する位置とは、図５に示されるように目地（隙間）が形成される程度に低い位置を含む。これにより、上ＰＣａ柱外周部材１２Ｕは、貫通孔１３Ｕに挿入されるＰＣａ柱芯部材１１の上部の外周面を覆うと共に、各階における柱外周部１ｏの上部を構成する。
【００３２】
なお、本実施形態では、上ＰＣａ柱外周部材１２Ｕの上端は天井側の複合梁２の上面高さに略一致している。上記のように上ＰＣａ柱外周部材１２Ｕは角筒状を呈しているが、複合梁２が接続する面（図示例では４面）の梁芯部２ｉ（ＰＣａ仕口芯部材１０の梁芯端部１０ｂ）に対応する部分には壁を貫通する切欠１４が形成されている。切欠１４は上ＰＣａ柱外周部材１２Ｕの上端面に対応する位置に達するように形成されている。
【００３３】
本実施形態では、上ＰＣａ柱外周部材１２Ｕの上端が複合梁２の上面高さと略一致し、上ＰＣａ柱外周部材１２Ｕの上端部が仕口部の柱外周部１ｏを構成するため、上ＰＣａ柱外周部材１２Ｕの上端位置が、ＰＣａ柱芯部材１１の上端位置よりも高くなっている。この上ＰＣａ柱外周部材１２Ｕの上端内部（ＰＣａ柱芯部材１１の上方）にＰＣａ仕口芯部材１０の仕口芯部１０ａが配置される。上ＰＣａ柱外周部材１２Ｕの上端が複合梁２の上面高さと一致することから、切欠１４の上部は梁外周部２ｏの上壁に対応する位置まで延びており、この切欠１４の上部には、下部にＰＣａ仕口芯部材１０の梁芯端部１０ｂが配置された後に、現場打ちによるコンクリート又はモルタルからなる充填材５が充填される。
【００３４】
また、ＰＣａ柱芯部材１１の柱芯下部１０ｃの高さが各階の複合柱１の４分の１程度とされ、下ＰＣａ柱外周部材１２Ｌの高さが各階の複合柱１の２分の１程度とされていることから、下ＰＣａ柱外周部材１２Ｌの上端位置も、ＰＣａ仕口芯部材１０の上端位置よりも高くなっている。
【００３５】
上記の充填材５が充填される部分を除き、複合柱１はいずれの断面においても、ＰＣａ柱外周部材１２と、ＰＣａ柱外周部材１２の貫通孔１３に挿入されたＰＣａ柱芯部材１１又はＰＣａ仕口芯部材１０とによって構成される。なお、図示していないが、ＰＣａ柱外周部材１２とＰＣａ柱芯部材１１又はＰＣａ仕口芯部材１０との間には、両者を一体化するためにグラウトが注入される。
【００３６】
他方、ＰＣａ複合梁部材２０は、断面内部に配置される梁芯主部２１と、梁芯主部２１の周面を覆うように断面外周部に配置される梁外周主部２２とを有する一体化されたＰＣａコンクリート部材とされている。梁芯主部２１は、高強度コンクリートからなる実質的に無筋のコンクリート造とされ、梁芯部２ｉを構成する。一方、梁外周主部２２は、普通コンクリートからなる鉄筋コンクリート造とされ、梁外周部２ｏを構成する。
【００３７】
梁外周主部２２は、一対の複合柱１、１間のスパンに応じた長さとされている。一方、梁芯主部２１は、軸方向の両端において、ＰＣａ仕口芯部材１０の梁芯端部１０ｂの長さ分だけ梁外周主部２２よりも短くされている。この梁芯部２ｉが欠損している部分は、ＰＣａ複合梁部材２０の端面を凹陥させる凹陥部２３を形成している。また、梁外周主部２２の上部（上壁部）における凹陥部２３に対応する部分は、凹陥部２３を上方に延長させるように切り欠かれている。これにより、凹陥部２３が梁外周主部２２の端面及び上面に開口している。この凹陥部２３の下部には、梁芯主部２１に接続されるＰＣａ仕口芯部材１０の梁芯端部１０ｂが配置される。凹陥部２３は、下部に梁芯端部１０ｂが配置された後、上部（梁芯端部１０ｂの上）に充填材５が充填されることによって埋められる。これにより、梁外周主部２２の凹陥部２３が形成された部分は他の部分と同一の断面形状となる。
【００３８】
図３に示すように、柱芯部１ｉは方形断面形状を呈しており、柱芯部１ｉの側面の全面を覆う柱外周部１ｏの外縁も方形断面形状を呈している。柱芯部１ｉと柱外周部１ｏとは、両者の間に注入される図示しないグラウトにより一体化される。柱芯部１ｉは、上記のように実質的に無筋のコンクリート造とされているため、ＰＣａ柱芯部材１１及びＰＣａ仕口芯部材１０を製造する際に高強度コンクリートが自由に自己収縮することができ、ひび割れの発生が抑制されている。
【００３９】
一方、柱外周部１ｏは上記のように普通コンクリートからなる鉄筋コンクリート造である。その内部には、複合柱１の外周縁近傍に配置され、軸方向に延在する複数（ここでは２０本）の柱主筋１６と、複数の柱主筋１６を囲繞するように軸方向に所定間隔をおいて配置された方形の複数の帯鉄筋１７（せん断補強筋）とが埋め込まれている。柱主筋１６及び帯鉄筋１７は柱外周部１ｏのみに配置されている。
【００４０】
このように、複合柱１は、断面の一部に高強度コンクリートが用いられていることにより、高強度コンクリートが用いられていない形態（柱外周部１ｏを形成する普通コンクリートにより全断面が形成されている形態）に比べ、圧縮強度を大きくでき、同一圧縮強度を得るために必要な柱断面積を小さくすることができる。また、高強度コンクリートからなる柱芯部１ｉが柱外周部１ｏにより被覆されているため、複合柱１の表面部分は火災時に爆裂を起こし難くなっており、複合柱１の耐火性能が確保されている。
【００４１】
なお、柱芯部１ｉは、完全な無筋コンクリートである必要はなく、ここで言う無筋コンクリートとは、高強度コンクリートの軸方向の自己収縮を拘束する柱主筋１６やＰＣ鋼材を含まないことを意味する。従って、柱芯部１ｉは、軸方向に延在する鉄筋であっても段取り筋のように構造計算で考慮されない鉄筋や、揚重のための鋼製のフック等が埋め込まれた構成であってもよい。
【００４２】
図４に示すように、梁芯部２ｉは縦長の矩形断面形状を呈しており、梁芯部２ｉの外周面を覆う梁外周部２ｏの外縁も縦長の矩形断面形状を呈している。梁芯部２ｉと梁外周部２ｏとは、どちらが先に形成（コンクリート打設）されていてもよいが、上記のように梁芯部２ｉは実質的に無筋のコンクリート造とされているため、高強度コンクリートを自由に自己収縮させることによってひび割れ発生を防止するためには、高強度コンクリートを用いて梁芯部２ｉを先に形成し、後から普通コンクリートを用いて梁外周部２ｏを構築することが好ましい。梁芯部２ｉと梁外周部２ｏとは、後に打設される側のコンクリートの付着によって一体となっている。
【００４３】
梁外周部２ｏの内部には、複合梁２の外周縁近傍に配置され、軸方向に延在する複数（ここでは８本）の梁主筋２６と、複数の梁主筋２６を囲繞するように軸方向に所定間隔をおいて配置された方形の複数の肋筋２７（せん断補強筋）とが埋め込まれている。梁主筋２６及び肋筋２７は梁外周部２ｏのみに配置されている。
【００４４】
梁芯部２ｉも柱芯部１ｉと同様に完全な無筋コンクリートである必要はなく、高強度コンクリートの軸方向の自己収縮を拘束する梁主筋２６やＰＣ鋼材を含んでいなければよい。梁芯主部２１は、断面方向に延在する幅止め筋や振れ止め筋、斜めに貫通する折り曲げ筋等が埋め込まれた構成や、軸方向に延在する構造計算で考慮されない鉄筋が埋め込まれた構成であってもよい。
【００４５】
図５は、ＰＣａ柱芯部材１１、上ＰＣａ柱外周部材１２Ｕ、ＰＣａ複合梁部材２０及びＰＣａ仕口芯部材１０を所定の位置に配置し、上記現場打ちコンクリートを打設していない状態の縦断面図を示している。図示するように、ＰＣａ柱芯部材１１の上面及びＰＣａ仕口芯部材１０の仕口芯部１０ａの下面には、それぞれコッター式継手３を構成する凹部３ａ及び凸部３ｂが形成されている。ＰＣａ柱芯部材１１とＰＣａ仕口芯部材１０とは、目地に高強度のグラウトが充填されることで一体化される。また、ＰＣａ複合梁部材２０の梁芯主部２１の端面及びＰＣａ仕口芯部材１０の梁芯端部１０ｂの端面のそれぞれには、コッター式継手４を構成する凹部４ａが形成されている。ＰＣａ仕口芯部材１０の梁芯端部１０ｂとＰＣａ複合梁部材２０の梁芯主部２１とは、目地及び凹部４ａに高強度のグラウトが充填されることで一体化される。更に、ＰＣａ複合梁部材２０の梁外周主部２２と上ＰＣａ柱外周部材１２Ｕとは、目地に充填されるグラウト及び上記凹陥部２３及び切欠１４に充填される充填材５により一体化される。
【００４６】
図示は省略するが、上側に配置される梁主筋２６（図４）は、梁外周主部２２の端面から凹陥部２３に突出しない長さとされており、その端部にはスリーブ継手が設けられている。上側の梁主筋２６は、ＰＣａ仕口芯部材１０が配置された後に、梁芯端部１０ｂの上方に配置される延長梁主筋がスリーブ継手を介して接続されることにより、複合柱１の内部に定着されるか、或いは複合柱１を挟んで対向配置された複合梁２の梁主筋２６と接続される。
【００４７】
次に、図６及び図７を参照して複合ラーメン構造１００の構築手順を説明する。
【００４８】
まず、図６（Ａ）に示すように、所定階において複合柱１又は基礎の上面には、床側の複合梁２又は基礎梁の上面よりも上方に突出する柱芯部１ｉの下部（柱芯下部１０ｃ）が構築されている。この柱芯部１ｉの下部に対し、予めＰＣａコンクリート部材として用意しておいた下ＰＣａ柱外周部材１２Ｌを、柱芯部１ｉが下方から貫通孔１３Ｌに進入するように上方から吊り下ろして所定位置（ＰＣａ仕口芯部材１０の上）に配置することにより、図６（Ｂ）に示すように、柱芯部１ｉに下ＰＣａ柱外周部材１２Ｌを支持させる。ここで、「支持」とは、鉛直荷重を支持することを意味するものではなく、専ら部材の転倒を防止するための支持を意味する。この状態では、柱芯部１ｉの突出寸法が下ＰＣａ柱外周部材１２Ｌの高さ寸法よりも小さいため、貫通孔１３Ｌの上部が、下ＰＣａ柱外周部材１２Ｌの上面に開口する有底の孔として下ＰＣａ柱外周部材１２Ｌの上部に残存する状態となる。
【００４９】
その後、予めＰＣａコンクリート部材として用意しておいたＰＣａ柱芯部材１１を、下ＰＣａ柱外周部材１２Ｌの貫通孔１３Ｌに上方から挿入することにより、図６（Ｃ）に示すように、下ＰＣａ柱外周部材１２ＬにＰＣａ柱芯部材１１を支持させる。この状態では、ＰＣａ柱芯部材１１は、下ＰＣａ柱外周部材１２Ｌの上面から上方に突出しており、その上端が梁芯部２ｉ（図７（Ｅ）参照）の下面の高さとなる。
【００５０】
更にその後、予めＰＣａコンクリート部材として用意しておいた上ＰＣａ柱外周部材１２Ｕを、ＰＣａ柱芯部材１１が下方から貫通孔１３Ｕに進入するように上方から吊り下ろして下ＰＣａ柱外周部材１２Ｌの上に配置することにより、図６（Ｄ）に示すように、ＰＣａ柱芯部材１１に上ＰＣａ柱外周部材１２Ｕを支持させる。この状態で、上ＰＣａ柱外周部材１２Ｕ及び下ＰＣａ柱外周部材１２Ｌの内部（柱芯部１ｉとの隙間）にグラウトを注入することで、柱外周部１ｏと柱芯部１ｉとを一体化する。なお、グラウトの注入は、ＰＣａコンクリート部材を配置する度に行ってもよい。また、柱外周部１ｏと柱芯部１ｉとの間だけでなく、上下方向に配置されるＰＣａコンクリート部材間に目地を設けておき、目地にもグラウトが充填されるようにするとよい。
【００５１】
このようにして複合柱１を構築した後、複合柱１の周囲にＰＣａ複合梁部材２０を配置するための支保工６を組み立て、図７（Ｅ）に示すように、支保工６上にＰＣａ複合梁部材２０を配置する。その後、予めＰＣａコンクリート部材として用意しておいたＰＣａ仕口芯部材１０を吊り下ろし、梁芯端部１０ｂがＰＣａ複合梁部材２０の凹陥部２３に収容されて支持されるようにＰＣａ仕口芯部材１０を複合柱１の上に配置し、図７（Ｆ）に示す状態とする。ＰＣａ複合梁部材２０を配置した後、ＰＣａ複合梁部材２０の凹陥部２３及び上ＰＣａ柱外周部材１２Ｕの切欠１４の上部にコンクリート又はモルタルからなる充填材５を充填することで、この階の複合柱１の構築が完了する。この状態では、ＰＣａ仕口芯部材１０の柱芯下部１０ｃが天井側の複合梁２の上面よりも上方に突出する柱芯部１ｉの下部を構成しており、図６（Ａ）に示す状態と同様の状態となる。
【００５２】
続いて上階についても、図７（Ｇ）に示すように、下ＰＣａ柱外周部材１２Ｌを、柱芯部１ｉが下方から貫通孔１３Ｌに進入するように上方から吊り下ろして所定位置（ＰＣａ仕口芯部材１０の上）に配置することにより、柱芯部１ｉに下ＰＣａ柱外周部材１２Ｌを支持させる。この手順は、図６（Ａ）を参照して説明したものと同じであり、これらの手順を繰り返すことにより、複層の複合ラーメン構造１００が構築される。
【００５３】
このようにして複合ラーメン構造１００を構築することにより、以下のような作用効果を得ることができる。
【００５４】
即ち、図６に示すように、仕口芯部１０ａの直下にＰＣａ柱芯部材１１により形成された柱芯部１ｉが位置するように、かつ上ＰＣａ柱外周部材１２Ｕの上端が少なくとも梁芯部２ｉの下面に対応する位置に達するように複合柱１を構築し、図７（Ｅ）に示すように、複合柱１の周囲にＰＣａ複合梁部材２０を配置し、図７（Ｆ）に示すように、梁芯端部１０ｂがＰＣａ複合梁部材２０の凹陥部２３に収容されて支持されるようにＰＣａ仕口芯部材１０を複合柱１の上に配置し、図７（Ｇ）に示すように、ＰＣａ仕口芯部材１０の柱芯下部１０ｃの外周面を覆うように、上階において柱外周部１ｏを構築している。これにより、共に高強度コンクリートからなる梁芯部２ｉと柱芯部１ｉとを接続でき、かつ現場打ちのコンクリートや型枠組立、鉄筋組立等の施工量を低減して施工を容易にすると共に工期を短縮することができる。
【００５５】
特に、複合柱１の少なくとも下部を構築する際に、図６（Ａ）や図７（Ｇ）に示すように、ＰＣａ仕口芯部材１０の柱芯下部１０ｃが下方から貫通孔１３Ｌに進入するように、下ＰＣａ柱外周部材１２ＬをＰＣａ仕口芯部材１０の上に配置して柱芯下部１０ｃに支持させている。これにより、下ＰＣａ柱外周部材１２Ｌの転倒を容易に防止でき、下ＰＣａ柱外周部材１２Ｌの配置作業が容易になる。
【００５６】
また、本実施形態では、下ＰＣａ柱外周部材１２Ｌ及び上ＰＣａ柱外周部材１２Ｕがそれぞれ概ね半階層の階高に対応する高さを有し、複合柱１の上部を構築する際に、図６（Ｃ）に示すように、下ＰＣａ柱外周部材１２Ｌの貫通孔１３ＬにＰＣａ柱芯部材１１を挿入して下ＰＣａ柱外周部材１２Ｌに支持させ、図６（Ｄ）に示すように、ＰＣａ柱芯部材１１が下方から貫通孔１３Ｕに進入するように、上ＰＣａ柱外周部材１２Ｕを下ＰＣａ柱外周部材１２Ｌの上に配置してＰＣａ柱芯部材１１に支持させている。これにより、各階の柱外周部１ｏを構成する下ＰＣａ柱外周部材１２Ｌ及び上ＰＣａ柱外周部材１２Ｕのそれぞれの重量を軽くして取り扱いを容易にできる上、上ＰＣａ柱外周部材１２Ｕの転倒も容易に防止でき、柱外周部１ｏの構築作業（配置作業）が容易になる。
【００５７】
また、図６（Ａ）や図７（Ｆ）に示すように、柱外周部１ｏの上面から上方に突出するように柱芯部１ｉの少なくとも下部を構築し、図６（Ｂ）〜（Ｄ）に示すように、突出する柱芯部１ｉが下方から貫通孔１３Ｌに進入するように下ＰＣａ柱外周部材１２Ｌを配置して柱芯部１ｉに支持させ、図７（Ｆ）に示すように、梁芯端部１０ｂが支持されるように、上ＰＣａ柱外周部材１２Ｕの上にＰＣａ仕口芯部材１０を配置し、その柱芯下部１０ｃによって上階における柱芯部１ｉの少なくとも下部を構築している。これにより、共に高強度コンクリートからなる梁芯部２ｉと柱芯部１ｉとを接続でき、かつ下ＰＣａ柱外周部材１２Ｌの転倒を防止して複合柱１の構築作業を容易にすると共に工期を短縮することができる。
【００５８】
≪第２実施形態≫
次に、図８を参照して、本発明の第２実施形態を説明する。なお、上記実施形態と機能等が共通する部材や部位には共通の符号を付し、重複する説明は省略する。以下に示す実施形態においても同様とする。
【００５９】
本実施形態では、上ＰＣａ柱外周部材１２Ｕの構成が第１実施形態と異なっている。即ち、本実施形態の上ＰＣａ柱外周部材１２Ｕは、下ＰＣａ柱外周部材１２Ｌの上に配置された状態で、上端が複合梁２の上面ではなく梁芯部２ｉの下面に略一致する高さ（即ち、ＰＣａ柱芯部材１１の上面に略一致する高さ）とされている。従って、上ＰＣａ柱外周部材１２Ｕの上端には、ＰＣａ仕口芯部材１０の梁芯端部１０ｂを配置するための切欠１４が上端に形成されず、上端面が平坦とされており、その上にＰＣａ仕口芯部材１０が配置される。
【００６０】
第１実施形態の上ＰＣａ柱外周部材１２Ｕに比べて短くなった上ＰＣａ柱外周部材１２Ｕの上方部分には、ＰＣａ複合梁部材２０が周囲に配置された後に型枠を組んでおき、ＰＣａ複合梁部材２０の凹陥部２３に充填材５を充填する際に同時に充填材５を充填することで柱外周部１ｏを構築する。その他の構築手順は第１実施形態と同様である。
【００６１】
上ＰＣａ柱外周部材１２Ｕがこのように形成されていても、凹陥部２３に配置された梁芯端部１０ｂがＰＣａ複合梁部材２０によって支持されることにより、転倒防止策をとることなくＰＣａ仕口芯部材１０をＰＣａ柱芯部材１１の上方に配置することができる。
【００６２】
≪第３実施形態≫
図９を参照して、本発明の第３実施形態を説明する。本実施形態は、柱外周部１ｏが１つのＰＣａコンクリート部材であるＰＣａ柱外周部材１２により構成される点が第１実施形態と異なっている。即ち、ＰＣａ柱外周部材１２は、１階層の階高に対応する高さを有している。なお、図示例では、ＰＣａ柱外周部材１２は、下階の複合柱１の上に配置され、柱芯部１ｉにより支持された状態において、上端が複合梁２の上面と一致する高さとされているが、第２実施形態のように上端が梁芯部２ｉの下面に一致する高さとされてもよい。
【００６３】
このようなＰＣａ柱外周部材１２を用いて複合ラーメン構造１００を構築する際には、図６（Ａ）に示す作業において下ＰＣａ柱外周部材１２Ｌの代わりにＰＣａ柱外周部材１２を下階の複合柱１の上に配置することで、図６（Ｃ）に示す作業を省略することができる。即ち、図６（Ｂ）に示すＰＣａ柱芯部材１１をＰＣａ柱外周部材１２の貫通孔１３に挿入する作業を行うことで、１階層分の複合柱１が構築される。後の構築手順は第１実施形態と同様である。
【００６４】
このように、ＰＣａ柱外周部材１２が１階層の階高に対応する高さを有することにより、柱外周部１ｏを構築するための工数が削減されるため、複合柱１の構築作業がより容易になる。
【００６５】
≪第４実施形態≫
図１０を参照して、本発明の第４実施形態を説明する。本実施形態では、第３実施形態と同様に１階層の階高に対応する高さを有するＰＣａ柱外周部材１２が用いられていることに加え、ＰＣａ仕口芯部材１０の構成が上記実施形態と異なっている。即ち、本実施形態のＰＣａ仕口芯部材１０は、仕口芯部１０ａ、梁芯端部１０ｂ及び柱芯下部１０ｃに加え、仕口芯部１０ａから下方へ延出し、下階における柱芯部１ｉの上の４分の３程度を構成する柱芯上部１０ｄが高強度コンクリートにより一体に形成されて構成されている。言い換えれば、上記実施形態で用いられていたＰＣａ柱芯部材１１がＰＣａ仕口芯部材１０の下端に一体に形成されている。なお、ＰＣａ柱外周部材１２は、上部が第２実施形態（図８）に対応する構成となっているが、第１実施形態（図２）や第３実施形態（図９）に対応する構成であってもよい。
【００６６】
このようなＰＣａ柱外周部材１２及びＰＣａ仕口芯部材１０を用いて複合ラーメン構造１００を構築することにより、図６（Ａ）に示す作業によって１階層分の柱外周部１ｏを構築して図６（Ｃ）に示す作業を省略すると共に、図６（Ｂ）に示す作業をも省略することができる。即ち、図７（Ｅ）に示す作業において本実施形態のＰＣａ仕口芯部材１０を用いることで、柱芯上部１０ｄによって柱芯部１ｉの上部が構築される。これにより、複合ラーメン構造１００の構築作業がより一層容易になる。
【００６７】
≪第５実施形態≫
図１１を参照して、本発明の第５実施形態を説明する。本実施形態では、第３実施形態（図９）及び第４実施形態（図１０）で用いるＰＣａ柱外周部材１２（１階層の階高に対応する高さを有し、上下に貫通する貫通孔１３が形成されている）の代わりに、ＰＣａ複合柱部材３０が用いられている。ＰＣａ複合柱部材３０は、高強度コンクリートからなる柱芯部１ｉを構成し、１つの階の上部に対応する高さを有する柱芯主部３１と、普通コンクリートからなる柱外周部１ｏを構成し、１階層の階高に対応する高さを有する柱外周主部３２とを一体に形成したＰＣａコンクリート部材である。言い換えれば、第１〜第３実施形態で用いられていたＰＣａ柱芯部材１１が第３実施形態（図９）で用いられたＰＣａ柱外周部材１２に一体に形成されている。従って、ＰＣａ複合柱部材３０には貫通孔１３は形成されず、柱断面における内部に下方のみに開口する有底孔３３が形成されており、この有底孔３３に下階の複合柱１の上面から突出する柱芯部１ｉの下部（ＰＣａ仕口芯部材１０の柱芯下部１０ｃ）が進入している。
【００６８】
このようなＰＣａ複合柱部材３０を用いて複合ラーメン構造１００を構築することにより、第３実施形態で省略した図６（Ｃ）に示す作業に加え、図６（Ｂ）に示す作業をも省略することができる。即ち、図６（Ａ）に示す作業において本実施形態のＰＣａ複合柱部材３０を用いることで、１階層分の複合柱１の全体が構築される。これにより、複合柱１の構築作業がより一層容易になる。
【００６９】
≪第６実施形態≫
図１２を参照して、本発明の第６実施形態を説明する。本実施形態では、第３実施形態（図９）や第４実施形態（図１０）と同様に１階層の階高に対応する高さを有するＰＣａ柱外周部材１２が用いられていることに加え、ＰＣａ仕口芯部材１０の構成が第４実施形態（図１０）と異なっている。即ち、本実施形態のＰＣａ仕口芯部材１０は、第４実施形態のように下方へ延出する柱芯上部１０ｄは備えていないが、柱芯下部１０ｃが１階層の柱芯部１ｉの下部だけでなく上部をも構成する高さを有している。言い換えれば、第１〜第３実施形態で用いられていたＰＣａ柱芯部材１１がこれらの実施形態で用いられたＰＣａ仕口芯部材１０の上端に一体に形成されている。
【００７０】
このようなＰＣａ柱外周部材１２及びＰＣａ仕口芯部材１０を用いて複合ラーメン構造１００を構築することにより、図６（Ｃ）に示す作業を省略すると共に、図６（Ｂ）に示す作業をも省略することができる。即ち、図７（Ｅ）に示す作業において本実施形態のＰＣａ仕口芯部材１０を用いることで、仕口芯部１０ａ及び柱芯下部１０ｃによって柱芯部１ｉの全体が構築される。これにより、複合ラーメン構造１００の構築作業がより一層容易になる。
【００７１】
≪第７実施形態≫
最後に、図１３を参照して、本発明の第７実施形態を説明する。本実施形態では、第３実施形態（図９）で用いたＰＣａ柱外周部材１２の配置により柱外周部１ｏを構成するのではなく、現場打ちコンクリート４０によって柱外周部１ｏが構築される。複合ラーメン構造１００の構築作業は以下の通りである。
【００７２】
即ち、所定階において複合柱１又は基礎の上面から突出する柱芯部１ｉの下部（柱芯下部１０ｃ）の上に、予めＰＣａコンクリート部材として用意しておいたＰＣａ柱芯部材１１を配置し、接合金物１９を用いて両者を接合する。その後、柱主筋１６及び帯鉄筋１７等の複合柱１用の鉄筋を組み立てると共に、周囲に支保工６（図示せず）を組み立ててＰＣａ複合梁部材２０を所定の位置に配置する。更にその後、柱芯部１ｉの周囲に柱用型枠４１を組み立てると共に、ＰＣａ仕口芯部材１０を所定の位置に配置する。最後に、柱用型枠４１内に普通コンクリートを打設し、ＰＣａ複合梁部材２０の上面まで打ち上げることで１階層分の複合ラーメン構造１００が構築される。
【００７３】
なお、図示例では、ＰＣａ仕口芯部材１０を第１実施形態等と同様の構成としているが、第６実施形態（図１２）のように、１階層の柱芯部１ｉの全体を構成するＰＣａ仕口芯部材１０を用いてもよい。
【００７４】
このようにして複合ラーメン構造１００を構築しても、共に高強度コンクリートからなる梁芯部２ｉと柱芯部１ｉとを接続できる上、複合梁２の略全体をＰＣａ化したＰＣａ複合梁部材２０を用いることができるため、施工を容易にすると共に工期を短縮することができる。
【００７５】
以上で具体的実施形態についての説明を終えるが、本発明はこれらの実施形態に限定されるものではなく、各要素の具体的形状や、配置、数量、角度、及び施工手順の作業内容や順序などは、本発明の趣旨を逸脱しない範囲で適宜変更可能である。例えば、上記実施形態では、四方に複合梁２が接続される中柱を例に示したが、隅柱や外周柱にも当然に適用できる。また、上記実施形態では床スラブについては説明しなかったが、複合梁２の側面にスラブが結合する場合等には、梁外周主部２２の上部のコンクリートが未打設の状態とされてもよい。この場合、梁芯主部２１の全体及び梁外周主部２２の少なくとも下部をＰＣａコンクリートにより形成してＰＣａ複合梁部材２０とし、ＰＣａ複合梁部材２０を現場に配置すると共にＰＣａコンクリートによる柱芯部１ｉを少なくともスラブの上面まで構築した後に、現場打ちコンクリートによって床スラブと同時に梁外周主部２２の上部を構築すればよい。また、上記実施形態に示した複合ラーメン構造１００やその構築方向の各要素は、必ずしも全てが必須ではなく、適宜取捨選択可能であり、実施形態間で組み合わせることも可能である。
【符号の説明】
【００７６】
１      複合柱
１ｉ    柱芯部
１ｏ    柱外周部
２      複合梁
２ｉ    梁芯部
２ｏ    梁外周部
１０    ＰＣａ仕口芯部材
１０ａ  仕口芯部
１０ｂ  梁芯端部
１０ｃ  柱芯下部
１０ｄ  柱芯上部
１１    ＰＣａ柱芯部材
１２    ＰＣａ柱外周部材（ＰＣａ柱部材）
１２Ｌ  下ＰＣａ柱外周部材（ＰＣａ柱部材）
１２Ｕ  上ＰＣａ柱外周部材（ＰＣａ柱部材）
１３、１３Ｌ、１３Ｕ    貫通孔
２０    ＰＣａ複合梁部材
２１    梁芯主部
２２    梁外周主部
２３    凹陥部
３０    ＰＣａ複合柱部材（ＰＣａ柱部材）
３１    柱芯主部
３２    柱外周主部
３３    有底孔
４０    現場打ちコンクリート
１００  複合ラーメン構造
【図１】
0006385858.tif 000002
【図２】
0006385858.tif 000003
【図３】
0006385858.tif 000004
【図４】
0006385858.tif 000005
【図５】
0006385858.tif 000006
【図６】
0006385858.tif 000007
【図７】
0006385858.tif 000008
【図８】
0006385858.tif 000009
【図９】
0006385858.tif 000010
【図１０】
0006385858.tif 000011
【図１１】
0006385858.tif 000012
【図１２】
0006385858.tif 000013
【図１３】
0006385858.tif 000014